(57)【要約】【課題】ユーザがロック状態を解除するための所定の操作パターンを容易に解読されないようにすることができる電子機器を提供する。【解決手段】電子機器は、ユーザを認証する認証部と、表示面に対する操作を検出する操作検出部を有し、操作検出部が操作を検出する範囲内に配置される検出領域を示す情報を表示する表示部と、少なくとも何れかの操作入力を受け付けない操作ロック状態を解除する操作パターンを検出する複数の検出領域の配置パターンを、認証部の認証結果に応じて設定する設定部と、操作ロック状態において、設定部が設定した配置パターンに従って、操作ロック状態を解除する操作パターンを検出する複数の前記検出領域を示す情報を表示部に表示させる表示制御部と、を備える。【選択図】図１
2014006706.tif 000002
【特許請求の範囲】
【請求項１】
ユーザを認証する認証部と、
表示面に対する操作を検出する操作検出部を有し、前記操作検出部が操作を検出する範囲内に配置される検出領域を示す情報を表示する表示部と、
少なくとも何れかの操作入力を受け付けない操作ロック状態を解除する操作パターンを検出する複数の前記検出領域の配置パターンを、前記認証部の認証結果に応じて設定する設定部と、
前記操作ロック状態において、前記設定部が設定した前記配置パターンに従って、前記操作ロック状態を解除する操作パターンを検出する複数の前記検出領域を示す情報を前記表示部に表示させる表示制御部と、
を備えることを特徴とする電子機器。
【請求項２】
前記認証部は、
ユーザを認証する場合、撮像部が撮像した画像からユーザの顔画像を検出するとともに、検出した前記顔画像に基づいてユーザを特定する
ことを特徴とする請求項１に記載の電子機器。
【請求項３】
記憶部にはユーザを特定するユーザ情報が予め登録されており、
前記認証部は、
ユーザを認証する場合、前記ユーザ情報に基づいてユーザを特定し、
前記設定部は、
前記認証部の認証結果により、前記ユーザ情報として登録されているユーザが特定されたか否かに応じて、前記配置パターンを設定する
ことを特徴とする請求項１または２に記載の電子機器。
【請求項４】
前記記憶部には、複数のユーザを特定する複数の前記ユーザ情報が予め登録されており、
前記設定部は、
前記認証部の認証結果により、複数の前記ユーザ情報のうちの何れかの情報として登録されているユーザが特定されたか否かに応じて、前記配置パターンを設定する
ことを特徴とする請求項３に記載の電子機器。
【請求項５】
前記設定部は、
前記認証部の認証結果により、複数の前記ユーザ情報のうちの何れの情報として登録されているユーザが特定されたかに応じて、前記配置パターンを設定する
ことを特徴とする請求項４に記載の電子機器。
【請求項６】
自機器の傾きを検出する傾き検出部、
を備え、
前記設定部は、
前記認証部の認証結果と前記傾き検出部の検出結果とに応じて、前記配置パターンを設定する
ことを特徴とする請求項１から５の何れか一項に記載の電子機器。
【請求項７】
前記操作検出部により検出された前記表示面に対する操作が、前記操作ロック状態を解除する操作パターンであるか否かを判定する操作パターン判定部と、
前記操作ロック状態において、前記操作検出部により検出された前記表示面に対する操作が、前記操作ロック状態を解除する操作パターンであると前記操作パターン判定部により判定された場合、前記操作ロック状態を解除することにより操作入力を受け付ける状態に遷移させる状態制御部と、
を備えることを特徴とする請求項１から６の何れか一項に記載の電子機器。
【請求項８】
ユーザを認証する認証部と、表示面に対する操作を検出する操作検出部を有し、前記操作検出部が操作を検出する範囲内に配置される検出領域を示す情報を表示する表示部と、を有する電子機器が備えるコンピュータに、
少なくとも何れかの操作入力を受け付けない操作ロック状態を解除する操作パターンを検出する複数の前記検出領域の配置パターンを、前記認証部の認証結果に応じて設定する設定ステップと、
前記操作ロック状態において、前記設定ステップにおいて設定した前記配置パターンに従って、前記操作ロック状態を解除する操作パターンを検出する複数の前記検出領域を示す情報を前記表示部に表示させる表示制御ステップと、
を実行させるためのプログラム。
【発明の詳細な説明】
【技術分野】
【０００１】
本発明は、電子機器、およびプログラムに関する。
【背景技術】
【０００２】
タッチパネルを備えた電子機器において、その電子機器が操作を受け付けない操作ロック状態を解除する方法として、ユーザがタッチパネルの表示面に対して所定の操作パターンに従った操作ロック状態を解除する操作を行うことにより解除する方法がある（例えば、特許文献１参照）。
【先行技術文献】
【特許文献】
【０００３】
【特許文献１】米国特許第７６５７８４９号明細書
【発明の概要】
【発明が解決しようとする課題】
【０００４】
しかしながら、ユーザが操作ロック状態を解除するための所定の操作パターンに従った同じ操作を繰り返し行った場合、表示面に対して操作した指の軌跡が残ってしまい操作ロック状態を解除する操作パターンを他者によって容易に解読されてしまう可能性があった。
【０００５】
本発明は、このような事情に鑑みてなされたもので、その目的は、ユーザが操作ロック状態を解除するための所定の操作パターンを容易に解読されないようにすることができる電子機器、およびプログラムを提供することにある。
【課題を解決するための手段】
【０００６】
この発明は上述した課題を解決するためになされたもので、本発明は、ユーザを認証する認証部と、表示面に対する操作を検出する操作検出部を有し、前記操作検出部が操作を検出する範囲内に配置される検出領域を示す情報を表示する表示部と、少なくとも何れかの操作入力を受け付けない操作ロック状態を解除する操作パターンを検出する複数の前記検出領域の配置パターンを、前記認証部の認証結果に応じて設定する設定部と、前記操作ロック状態において、前記設定部が設定した前記配置パターンに従って、前記操作ロック状態を解除する操作パターンを検出する複数の前記検出領域を示す情報を前記表示部に表示させる表示制御部と、を備えることを特徴とする電子機器である。
【０００７】
また、本発明は、ユーザを認証する認証部と、表示面に対する操作を検出する操作検出部を有し、前記操作検出部が操作を検出する範囲内に配置される検出領域を示す情報を表示する表示部と、を有する電子機器が備えるコンピュータに、少なくとも何れかの操作入力を受け付けない操作ロック状態を解除する操作パターンを検出する複数の前記検出領域の配置パターンを、前記認証部の認証結果に応じて設定する設定ステップと、前記操作ロック状態において、前記設定ステップにおいて設定した前記配置パターンに従って、前記操作ロック状態を解除する操作パターンを検出する複数の前記検出領域を示す情報を前記表示部に表示させる表示制御ステップと、を実行させるためのプログラムである。
【発明の効果】
【０００８】
この発明によれば、ユーザが操作ロック状態を解除するための所定の操作パターンを容易に解読されないようにすることができる。
【図面の簡単な説明】
【０００９】
【図１】この発明の一実施形態による端末装置の構成を示すブロック図である。
【図２】第１実施形態によるロック解除画面の第１例を示す図である。
【図３】第１実施形態によるロック解除画面の第２例を示す図である。
【図４】第１実施形態によるロック解除画面の第３例を示す図である。
【図５】第１実施形態による端末装置がロック状態を解除する処理の一例を示すフローチャートである。
【図６】第２実施形態による端末装置の構成を示すブロック図である。
【図７】第２実施形態によるロック解除画面の第１例を示す図である。
【図８】第２実施形態によるロック解除画面の第２例を示す図である。
【図９】第２実施形態によるロック解除画面の第３例を示す図である。
【図１０】第２実施形態による端末装置がロック状態を解除する処理の一例を示すフローチャートである。
【発明を実施するための形態】
【００１０】
以下、図面を参照して、本発明の実施の形態について説明する。
＜第１実施形態＞
図１は、この発明の一実施形態による電子機器の構成を示す概略ブロック図である。
図１に示す電子機器は、タッチパネルを備えたタブレット型の端末装置１０である。端末装置１０は、登録されたユーザに対してのみ端末装置１０が有する機能が利用可能なように、操作を受け付けない操作ロック状態（以下、ロック状態と称する）を解除するには、タッチパネルに対してロック状態を解除する所定の操作パターンに従ったタッチ操作が必要なように構成されている。以下、図１を参照して、端末装置１０の構成について説明する。
【００１１】
端末装置１０は、撮像部２、タッチパネル部３（タッチパネル）、記憶部４、及び制御部５を備えている。撮像部２は、端末装置１０を使用するユーザを撮影可能なように、例えばタッチパネル部３と同じ側の筐体に配置されている。すなわち、撮像部２は、端末装置１０の筐体において、端末装置１０を使用するユーザ（タッチパネル部３を操作するユーザ）に対面する側に配置されている。そして、撮像部２は、端末装置１０を使用しているユーザ、すなわちタッチパネル部３に対面する方向にいるユーザを撮像する。また、撮像部２は、光学レンズと、当該光学レンズを介して入力される光学像を撮像する撮像素子と、当該撮像素子に撮像された画像をデジタル画像信号として出力する撮像信号処理部と、を有している。また、撮像部２は、後述する制御部５が備えている認証部５１に撮像した画像（デジタル画像信号）を供給する。
【００１２】
タッチパネル部３は、表示部３１と、表示部３１の表示面に対するタッチ操作（接触操作）を検出する操作検出部３２と、を備えている。表示部３１は、例えば液晶ディスプレイ又は有機ＥＬ（Ｅｌｅｃｔｒｏ  Ｌｕｍｉｎｅｓｃｅｎｃｅ）ディスプレイ等を含んで構成され、情報又は画像を表示する。また、表示部３１は、タッチパネル部３に対するタッチ操作を検出する検出領域を示す情報を表示する。例えば、表示部３１は、操作検出部３２が操作を検出する範囲内に配置される検出領域を示す情報を表示する。
【００１３】
操作検出部３２は、表示部３１の表示面に対するタッチ操作（接触操作）を検出するタッチセンサを含んで構成されている。このタッチセンサは、表示部３１の表示面に配置され、タッチ操作により触れられた位置を検出する。なお、タッチセンサは、静電容量方式、抵抗膜方式、電磁誘導方式、又はその他の方式の何れのタッチセンサでもよい。
例えば、操作検出部３２は、表示部３１の表示面に対するタッチ操作に応じてタッチ操作された位置を検出し、検出結果を制御部５に出力する。
【００１４】
記憶部４は、ユーザを特定するユーザ情報が予め登録されているユーザ情報記憶部４１と、表示部３１の表示面に対するタッチ操作の操作パターンを示す情報を記憶する操作パターン記憶部４２と、を備えている。
【００１５】
ユーザ情報記憶部４１は、端末装置１０の所有者又は主使用者であるユーザを特定するユーザ情報を記憶する。例えば、ユーザ情報記憶部４１は、ユーザ情報として、ユーザを識別する識別情報（ユーザＩＤ）と、そのユーザの顔画像又は顔画像の特徴量を示す情報と、を関連付けて記憶する。このユーザ情報は、ユーザが、例えば端末装置１０を初めて使用するときに登録したアカウント情報である。つまり、ユーザ情報記憶部４１にユーザ情報が記憶（登録）されているユーザは端末装置１０の所有者又は主使用者本人である。一方、ユーザ情報記憶部４１にユーザ情報が記憶（登録）されていないユーザは端末装置１０の所有者又は主使用者本人とは異なる他者である。
【００１６】
なお、ユーザ情報記憶部４１は、１人のユーザ情報を記憶することに限られるものではなく、複数人のユーザ情報を記憶してもよい。また、このユーザ情報に含まれるユーザＩＤと関連付けられた顔画像又は顔画像の特徴量は、後述する制御部５が備えている認証部５１がユーザを認証する際に用いられるユーザ情報である。また、端末装置１０は、この顔画像又は顔画像の特徴量を、撮像部２が撮像した所有者又は主使用者であるユーザの顔画像に基づいて予め生成してもよいし、予め他の機器で生成され、記憶媒体や無線通信を介して取得したものであってもよい。
【００１７】
操作パターン記憶部４２は、後述するロック解除画面において、ロック状態を解除する操作パターンを示す情報を記憶している。例えば、操作パターン記憶部４２は、予め設定されたロック状態を解除する操作パターンを示す情報、又はユーザにより設定されたロック状態を解除する操作パターンを示す情報を記憶する。また、操作パターン記憶部４２は、ユーザにより設定されたロック状態を解除する操作パターンを、ユーザＩＤに関連付けて記憶する。
【００１８】
制御部５は、端末装置１０が備える各部の動作を制御する。例えば、制御部５は、端末装置１０の動作状態を、端末装置１０が有する機能を実行させる操作入力を受け付ける通常動作状態と、端末装置１０が有する機能のうちの少なくとも何れかの機能を実行させる操作入力を受け付けないロック状態と、のうちの何れかに制御する。例えば、制御部５は、電源起動時において、端末装置１０の動作状態をまずロック状態になるように起動し、その後ユーザによりロック状態を解除する操作が入力されることに応じて、通常動作状態に遷移させる。また、制御部５は、例えば通常動作状態において操作がされない状態が長時間継続した場合、端末装置１０の動作状態を通常動作状態からロック状態に遷移させる。
【００１９】
また、本実施形態の端末装置１０は、端末装置１０の動作状態がロック状態の場合、ユーザが、ロック状態を解除するためのタッチ操作を入力することが可能なロック解除画面を表示部３１に表示させる。そして、端末装置１０は、ロック状態において、タッチパネル部３に対してロック状態を解除する操作パターンのタッチ操作が行われた場合に、ロック状態を解除して通常動作状態に遷移する。例えば、制御部５は、端末装置１０の動作状態をロック状態に遷移させた場合、ロック解除画面を表示部３１に表示する。そして、制御部５は、ロック状態を解除する操作パターンのタッチ操作がされたことを操作検出部３２が検出した場合、端末装置１０の動作状態をロック状態から通常動作状態に遷移させ、表示部３１に表示させる表示画面をロック解除画面から通常動作状態の表示画面に切り替える。
【００２０】
図２は、ロック解除画面の一例を示す図である。制御部５は、ロック状態を解除する操作パターンを検出する複数の検出領域を示す情報を、表示部３１に表示させる。この図において、制御部５は、ロック状態を解除する操作パターンを検出するための「Ａ」、「Ｂ」、「Ｃ」、「Ｄ」の４つの検出領域を示す情報を、それぞれ四角形の各頂点の位置関係になるような配置パターンで表示部３１に表示させる。例えば、制御部５は、「Ａ」、「Ｂ」、「Ｃ」、「Ｄ」の４つの検出領域を示す情報を、検出領域「Ａ」が四角形の各頂点のうちの左上の頂点の位置、検出領域「Ｂ」が四角形の各頂点のうちの右上の頂点の位置、検出領域「Ｃ」が四角形の各頂点のうちの左下の頂点の位置、及び、検出領域「Ｄ」が四角形の各頂点のうちの右下の頂点の位置、となるような配置パターンで表示部３１に表示させる。
【００２１】
また、この図において、ロック状態を解除する操作パターンは、矢印１０１で示すように「Ａ」、「Ｂ」、「Ｃ」の順（四角形の各頂点のうちの左上の頂点の位置、右上の頂点の位置、左下の頂点の位置、の順）に検出領域を通過するようになぞる操作パターンであることを示している。そして、制御部５は、図２の矢印１０１で示すようなロック状態を解除する操作パターンのタッチ操作がされたことを操作検出部３２が検出した場合、端末装置１０の動作状態をロック状態から通常動作状態に遷移させ、表示部３１に表示させる表示画面をロック解除画面から通常動作状態の表示画面に切り替える。
【００２２】
図１に戻り、制御部５の構成について詳しく説明する。
制御部５は、認証部５１と、設定部５２と、表示制御部５３と、操作制御部５４と、操作パターン判定部５５と、状態制御部５６と、を備えている。
【００２３】
認証部５１は、端末装置１０を使用するユーザを認証する。例えば、認証部５１は、ユーザを認証する場合、撮像部２が撮像した画像からユーザの顔画像を検出するとともに、検出した顔画像に基づいてユーザを特定する。また、認証部５１は、ユーザ情報記憶部４１に登録されているユーザ情報に基づいて、ユーザを認証して特定する。
【００２４】
具体的には、認証部５１は、ユーザ情報記憶部４１を参照して、検出した顔画像と、予め登録されているユーザＩＤに関連付けられた顔画像とを照合する。そして、認証部５１は、照合した結果、検出した顔画像が予め登録されているユーザＩＤに関連付けられた顔画像と合致した場合、検出した顔画像のユーザ（端末装置１０を使用しようとしているユーザ）が、ユーザ情報として登録されているユーザ（すなわち、端末装置１０の所有者又は主使用者本人）であると特定する。
【００２５】
設定部５２は、ロック状態を解除する操作パターンを検出する複数の検出領域の配置パターン（表示部３１に表示させるロック解除画面の複数の検出領域の配置パターン）を、認証部５１の認証結果に応じて設定する。例えば、設定部５２は、認証部５１の認証結果により、ユーザ情報記憶部４１にユーザ情報として登録されているユーザが特定されたか否かに応じて、ロック解除画面の複数の検出領域の配置パターンを設定する。
この設定部５２が認証部５１の認証結果に応じてロック解除画面の複数の検出領域の配置パターンを設定する処理について、詳しくは後述する。
【００２６】
表示制御部５３は、表示部３１に、情報、画像、又はタッチパネル部３におけるタッチ操作に関する操作情報を表示する制御を実行する。例えば、表示制御部５３は、ロック状態において、設定部５２が設定した配置パターンに従って、操作ロック状態を解除する操作パターンを検出する複数の前記検出領域を示す情報を、ロック解除画面として、表示部３１に表示させる。また、表示制御部５３は、表示部３１の表示のオンとオフとの切り替え制御（表示状態と非表示状態との切り替え制御）等を実行する。
【００２７】
操作制御部５４は、操作検出部３２の検出結果に基づいて、表示部３１の表示面に対してタッチ操作された位置を示す操作位置情報を生成する。また、操作制御部５４は、表示制御部５３が表示部３１に表示した検出領域（タッチ操作を検出する検出領域）の表示位置と、生成した操作位置情報とに基づいて、タッチ操作が行われた操作内容を示す操作情報を生成する。
【００２８】
操作パターン判定部５５は、操作パターン記憶部４２を参照して、タッチパネル部３に対してタッチ操作された操作パターンが、ロック状態を解除する操作パターンであるか否かを判定する。具体的には、操作パターン判定部５５は、操作パターン記憶部４２に記憶されているロック状態を解除する操作パターンを示す情報と、操作制御部５４が生成した操作情報とに基づいて、タッチパネル部３に対してタッチ操作された操作パターンが、ロック状態を解除する操作パターンであるか否かを判定する。
【００２９】
状態制御部５６は、端末装置１０の動作状態を、端末装置１０が有する機能を実行させる操作を受け付ける通常動作状態と、端末装置１０が有する機能のうちの少なくとも何れかの機能を実行させる操作を受け付けないロック状態（操作ロック状態）と、のうちの何れかに制御する。また、状態制御部５６は、端末装置１０の動作状態をロック状態に遷移させた場合、ロック解除画面を表示制御部５３を介して表示部３１に表示させる。
【００３０】
また、状態制御部５６は、ロック解除画面として、設定部５２が設定した配置パターンに従って、ロック状態を解除する操作パターンを検出する複数の検出領域（例えば図２に示す「Ａ」、「Ｂ」、「Ｃ」、「Ｄ」の４つの検出領域）を示す情報を、表示制御部５３を介して表示部３１に表示させる。
【００３１】
また、状態制御部５６は、ロック状態において、ロック解除画面を表示部３１に表示させている際に、操作検出部３２により検出された表示面に対する操作が、ロック状態を解除する操作パターンであると操作パターン判定部５５により判定された場合、端末装置１０の動作状態をロック状態から通常動作状態に遷移させる（ロック状態を解除する）。また、状態制御部５６は、この場合、表示部３１に表示する表示画面をロック解除画面から通常動作状態の表示画面に切り替える。
【００３２】
（配置パターンの例）
次に、設定部５２が、認証部５１の認証結果に応じて、ロック解除画面の表示内容（配置パターン）を設定する際の配置パターンの例について、図２から図４を用いて詳しく説明する。上述したように、設定部５２は、認証部５１の認証結果により、ユーザ情報記憶部４１にユーザ情報として登録されているユーザが特定されたか否かに応じて、ロック解除画面における複数の検出領域の配置パターンを設定する。
【００３３】
ここで、認証部５１が、撮像部２が撮像した画像から検出した顔画像のユーザ（端末装置１０を使用しようとしているユーザ）がユーザ情報として登録されているユーザ（すなわち、端末装置１０の所有者又は主使用者本人）であると特定したとする。この場合、設定部５２は、ロック状態を解除する操作パターンを検出する複数の検出領域を示す情報の配置パターンを、図２に示すロック解除画面のような配置パターンに設定する。
【００３４】
例えば、設定部５２は、ロック状態を解除する操作パターンを検出する「Ａ」、「Ｂ」、「Ｃ」、「Ｄ」の４つの検出領域を示す情報の配置パターンを、検出領域「Ａ」が四角形の各頂点のうちの左上の頂点の位置、検出領域「Ｂ」が四角形の各頂点のうちの右上の頂点の位置、検出領域「Ｃ」が四角形の各頂点のうちの左下の頂点の位置、及び、検出領域「Ｄ」が四角形の各頂点のうちの右下の頂点の位置、となるような配置パターンに設定する。また、ロック状態を解除する操作パターンは、矢印１０１で示すように「Ａ」、「Ｂ」、「Ｃ」の順に検出領域を通過するようになぞる操作パターンであって、四角形の各頂点のうちの左上の頂点の位置、右上の頂点の位置、左下の頂点の位置、の順に検出領域を通過するようになぞる操作パターンである。
【００３５】
一方、認証部５１が、撮像部２が撮像した画像から検出した顔画像のユーザ（端末装置１０を使用しようとしているユーザ）がユーザ情報として登録されているユーザであると特定できなかったとする。つまり、端末装置１０を使用しようとしているユーザは、端末装置１０の所有者又は主使用者本人とは異なる他者である（或いは、撮像部２が撮像した画像から顔画像が検出されなかった場合も含む）。この場合、設定部５２は、ロック状態を解除する操作パターンを検出する複数の検出領域を示す情報の配置パターンを、図２に示すロック解除画面のような配置パターンとは異なるように、「Ａ」、「Ｂ」、「Ｃ」、「Ｄ」の４つの検出領域の並びが異なる配置パターンに設定する。
【００３６】
例えば、設定部５２は、図３に示すロック解除画面のように、「Ａ」、「Ｂ」、「Ｃ」、「Ｄ」の４つの検出領域を示す情報の配置パターンを、検出領域「Ａ」が四角形の各頂点のうちの左上の頂点の位置、検出領域「Ｂ」が四角形の各頂点のうちの左下の頂点の位置、検出領域「Ｃ」が四角形の各頂点のうちの右下の頂点の位置、及び、検出領域「Ｄ」が四角形の各頂点のうちの右上の頂点の位置、となるような配置パターンに設定する。よって、ロック状態を解除する操作パターンは、矢印１０２で示すように「Ａ」、「Ｂ」、「Ｃ」の順に検出領域を通過するようになぞる操作パターンであって、四角形の各頂点のうちの左上の頂点の位置、左下の頂点の位置、右下の頂点の位置、の順に検出領域を通過するようになぞる操作パターンとなる
【００３７】
このように、設定部５２は、認証部５１の認証結果により、ユーザ情報記憶部４１にユーザ情報として登録されているユーザが特定（認証）されたか否かに応じて、ロック解除画面における複数の検出領域の配置パターンを設定する。すなわち、設定部５２は、認証部５１の認証結果により、端末装置１０を使用しようとしているユーザが、ユーザ情報として登録されているユーザ（すなわち、端末装置１０の所有者又は主使用者本人）であるか否かに応じて、互いに異なる配置パターンに設定する。つまり、端末装置１０は、端末装置１０の所有者又は主使用者本人であるか否かに応じて、ロック状態を解除する操作パターンによる表示面上の軌跡が異なるようにロック解除画面を表示部３１に表示する。
【００３８】
これにより、端末装置１０は、ロック状態を解除する操作パターンを、表示面上に残るタッチ操作の軌跡によって他者に容易に解読されてしまうことを防止することができる。よって、端末装置１０は、ユーザがロック状態を解除するための所定の操作パターンを、他者に容易に解読されないようにすることができる。
【００３９】
なお、設定部５２は、認証部５１の認証結果に応じて、図２に示すロック解除画面の配置パターンと異なる配置パターンを設定する場合、図３に示すロック解除画面の配置パターン（図２の配置パターンとは「Ａ」、「Ｂ」、「Ｃ」、「Ｄ」の４つの検出領域の並びが異なる配置パターン）に設定することに限られるものではなく、図２に示す配置パターンと異なる配置パターンであれば他の配置パターンに設定してもよい。
【００４０】
例えば、設定部５２は、図２に示すロック解除画面の配置パターンとは異なる配置パターンとして、図３に示す配置パターンに代えて、図４に示すロック解除画面のような配置パターンに設定してもよい。図４に示す配置パターンの例は、図２に示す配置パターンに対して、表示部３１の表示領域内における、「Ａ」、「Ｂ」、「Ｃ」、「Ｄ」の４つの検出領域の位置が異なる配置パターンの例であって、４つの検出領域の重心となる位置を中心として、４つの検出領域の位置を４５度右に回転した配置パターンの例である。この例では、ロック状態を解除する操作パターンは、矢印１０３で示すように「Ａ」、「Ｂ」、「Ｃ」の順に検出領域を通過するようになぞる操作パターンであって、図２の配置パターンに対して４５度回転した四角形の各頂点（上、下、左、右、の位置の各頂点）のうちの上の頂点の位置、右の頂点の位置、左の頂点の位置、の順に検出領域を通過するようになぞる操作パターンとなる。
【００４１】
このように、設定部５２は、端末装置１０の所有者又は主使用者本人とは異なる他者がユーザの場合、図４に示すロック解除画面のような配置パターンに設定してもよい。これにより、端末装置１０は、端末装置１０の所有者又は主使用者本人であるか否かに応じて、ロック状態を解除する操作パターンによる表示面上の軌跡が異なるようにロック解除画面を表示部３１に表示することができる。
【００４２】
（ロック状態を解除する処理の説明）
続いて、図５を参照して、端末装置１０がロック状態を解除する処理の動作について説明する。
図５は、端末装置１０がロック状態を解除する処理の一例を示すフローチャートである。なお、端末装置１０は、動作状態をロック状態に遷移させたことに応じて、この処理を開始する。
【００４３】
まず、設定部５２は、状態制御部５６が端末装置１０の動作状態をロック状態に遷移させたことに応じて、タイマーによる計時をスタートする（ステップＳ１１）。なお、このタイマーは、設定部５２が備えている構成としてもよいし、設定部５２以外に備えられている構成としてもよい。
【００４４】
次に、認証部５１は、撮像部２が撮像した画像からユーザの顔画像を検出する（ステップＳ１２）。続いて、認証部５１は、検出した顔画像と、ユーザ情報記憶部４１に登録されているユーザ情報とに基づいて、端末装置１０を使用するユーザを認証する（ステップＳ１３）。
【００４５】
設定部５２は、ステップＳ１３における認証部５１の認証結果により、ユーザ情報記憶部４１にユーザ情報として登録されているユーザが特定されたか否かを判定する。すなわち、設定部５２は、検出した顔画像のユーザ（端末装置１０を使用しようとしているユーザ）が、ユーザ情報として登録されているユーザ（すなわち、端末装置１０の所有者又は主使用者本人）であるか否かを判定する（ステップＳ１４）。
【００４６】
ステップＳ１４において、端末装置１０を使用しようとしているユーザが端末装置１０の所有者又は主使用者本人であると判定された場合（ステップＳ１４：ＹＥＳ）、設定部５２は、ロック解除画面の配置パターンを第１の配置パターン（例えば、図２に示す配置パターン）に設定し（ステップＳ１５）、ステップＳ３１に処理を進める。
【００４７】
一方、ステップＳ１４において、端末装置１０を使用しようとしているユーザが端末装置１０の所有者又は主使用者本人でないと判定された場合（ステップＳ１４：ＮＯ）、設定部５２は、ステップＳ１１において計時をスタートしたタイマーがタイムアップしたか否かを判定する（ステップＳ１６）。ここで、設定部５２は、タイマーがタイムアップしたか否かの判定を、予め定められた時間を越えたか否かによって判定する。なお、この予め定められた時間とは、端末装置１０の動作状態がロック状態に遷移した際に、ロック解除画面を表示部３１に表示する前に認証部５１がユーザを認証（端末装置１０の所有者又は主使用者本人による認証）する時間の長さの制限として予め定められた時間である。
【００４８】
ステップＳ１６において、タイマーがタイムアップしていないと判定された場合（ステップＳ１６：ＮＯ）、設定部５２は、ステップＳ１２に処理を戻す。これにより、認証部５１はユーザを認証する処理を再度実行する。例えば、撮像部２が撮像した画像からユーザの顔画像が検出されなかった場合、または撮像部２が撮像した画像から検出された顔画像が、端末装置１０の所有者又は主使用者本人の顔画像ではないと判定された場合、タイマーがタイムアップするまでの間、設定部５２は、ステップＳ１２に処理を戻し、認証部５１にユーザ認証を実行させる。
【００４９】
一方、ステップＳ１６において、タイマーがタイムアップしたと判定された場合（ステップＳ１６：ＹＥＳ）、設定部５２は、ロック解除画面の配置パターンを第１の配置パターンとは異なる第２の配置パターン（例えば、図３または図４に示す配置パターン）に設定する（ステップＳ１７）。
【００５０】
次に、状態制御部５６は、設定部５２が設定した第１の配置パターンおよび第２の配置パターンの何れかに従って、ロック状態を解除する操作パターンを検出する複数の検出領域を示す情報を、ロック解除画面として、表示制御部５３を介して表示部３１に表示させる（ステップＳ３１）。例えば、ステップＳ１４において、端末装置１０を使用しようとしているユーザが端末装置１０の所有者又は主使用者本人であると判定された場合、状態制御部５６は、第１の配置パターンに従ったロック解除画面（例えば、図２に示すロック解除画面）を、表示制御部５３を介して表示部３１に表示させる。また、ステップＳ１４において、端末装置１０を使用しようとしているユーザが端末装置１０の所有者又は主使用者本人でないと判定された場合、状態制御部５６は、第２の配置パターンに従ったロック解除画面（例えば、図３又は図４に示すロック解除画面）を、表示制御部５３を介して表示部３１に表示させる。
【００５１】
続いて、操作制御部５４は、操作検出部３２の検出結果に基づいて、タッチパネル部３に対してタッチ操作がされたか否かを判定する（ステップＳ３２）。ここで、タッチパネル部３に対してタッチ操作がされていないと判定された場合（ステップＳ３２：ＮＯ）、操作制御部５４は、タッチパネル部３に対してタッチ操作がされたか否かを判定するステップＳ３２の処理を継続する。
【００５２】
一方、ステップＳ３２において、タッチパネル部３に対してタッチ操作がされたと判定された場合（ステップＳ３２：ＹＥＳ）、操作制御部５４は、操作検出部３２の検出結果に基づいて、表示部３１の表示面に対してタッチ操作された位置を示す操作位置情報を生成する。また、操作制御部５４は、表示制御部５３が表示部３１に表示したタッチ操作を検出する検出領域の表示位置と、生成した操作位置情報とに基づいて、タッチ操作が行われた操作内容を示す操作情報を生成する。そして、操作制御部５４は、生成した操作情報を、操作パターン判定部５５に供給する。
【００５３】
次に、操作パターン判定部５５は、操作パターン記憶部４２を参照して、タッチパネル部３に対してタッチ操作された操作パターンがロック状態を解除する操作パターンであるか否かを判定する。具体的には、操作パターン判定部５５は、操作パターン記憶部４２に記憶されているロック状態を解除する操作パターンを示す情報と、操作制御部５４が生成した操作情報とに基づいて、タッチパネル部３に対してタッチ操作された操作パターンがロック状態を解除する操作パターンであるか否かを判定する（ステップＳ３３）。
【００５４】
ステップＳ３３において、タッチパネル部３に対してタッチ操作された操作パターンがロック状態を解除する操作パターンでないと判定された場合（ステップＳ３３：ＮＯ）、状態制御部５６は、ロック状態を解除できないことを示すエラー情報を、表示制御部５３を介して表示部３１に表示させる（ステップＳ３４）。
【００５５】
一方、ステップＳ３３において、タッチパネル部３に対してタッチ操作された操作パターンがロック状態を解除する操作パターンであると判定された場合（ステップＳ３３：ＹＥＳ）、状態制御部５６は、端末装置１０の動作状態をロック状態から通常動作状態に遷移させ、ロック状態を解除する（ステップＳ３５）。これにより、端末装置１０は、ロック状態を解除する処理を終了する。
【００５６】
このように、端末装置１０は、端末装置１０を使用しようとしているユーザが、ユーザ情報として登録されているユーザ（すなわち、端末装置１０の所有者又は主使用者本人）であるか否かに応じて設定した互いに異なる配置パターンのロック解除画面を表示部３１に表示する。そして、端末装置１０は、表示したロック解除画面に対応したロック状態を解除する操作パターンのタッチ操作がされた場合、ロック状態を解除する。
【００５７】
これにより、端末装置１０は、端末装置１０の所有者又は主使用者本人からロック状態を解除する操作パターンのタッチ操作がされた場合にはロック状態を解除することができるとともに、ロック状態を解除する操作パターンを、表示面上に残るタッチ操作の軌跡によって他者に容易に解読されてしまうことを防止することができる。
【００５８】
なお、記憶部４のユーザ情報記憶部４１には、複数のユーザを特定する複数のユーザ情報が予め登録されていてもよい。すなわち、ユーザ情報記憶部４１には、複数のユーザのユーザ情報が、端末装置１０の所有者又は主使用者として登録されていてもよい。また、この場合、設定部５２は、認証部５１の認証結果により、複数のユーザ情報のうちの何れかの情報として登録されているユーザが特定されたか否かに応じて、配置パターンを設定してもよい。すなわち、設定部５２は、端末装置１０の所有者又は主使用者として登録されている複数のユーザに対する配置パターンと、端末装置１０の所有者又は主使用者として登録されている複数のユーザ以外の他者に対する配置パターンとを、互いに異ならせるように設定してもよい。
【００５９】
これにより、端末装置１０は、複数のユーザが端末装置１０の所有者又は主使用者として登録された場合であっても、端末装置１０の所有者又は主使用者のうちの何れか本人からロック状態を解除する操作パターンのタッチ操作がされた場合にはロック状態を解除することができるとともに、登録された複数のユーザ以外の他者に、表示面上に残るタッチ操作の軌跡によって、ロック状態を解除する操作パターンを容易に解読されてしまうことを防止することができる。
【００６０】
また、ユーザ情報記憶部４１に、複数のユーザのユーザ情報が、端末装置１０の所有者又は主使用者として登録されている場合、設定部５２は、認証部５１の認証結果により、複数のユーザ情報のうちの何れの情報として登録されているユーザが特定されたかに応じて、配置パターンを設定してもよい。すなわち、設定部５２は、端末装置１０の所有者又は主使用者として登録されている複数のユーザ毎に、互いに異なる配置パターンに設定してもよい。
【００６１】
これにより、端末装置１０は、複数のユーザがそれぞれのユーザのアカウント情報を用いて端末装置１０を使用するような場合であっても、端末装置１０に登録されている複数のユーザのうちの他のユーザに、ロック状態を解除する操作パターンを表示面上に残るタッチ操作の軌跡によって容易に解読されてしまうことを防止することができる。
【００６２】
なお、設定部５２は、認証部５１の認証結果に応じて互いに異なる配置パターンを設定する場合、端末装置１０の傾きに応じた配置パターンに変更することにより異なる配置パターンに設定してもよい。この端末装置１０の傾きに応じた配置パターンに変更する処理について、続く第２実施形態において説明する。
【００６３】
＜第２実施形態＞
次に、図面を参照して、本発明の第２実施形態について説明する。この第２実施形態では、設定部５２が認証部５１の認証結果と端末装置１０の傾きとに応じて配置パターンを設定することが、第１実施形態と異なる。
図６は、この発明の第２実施形態による端末装置１０（電子機器）の構成を示す概略ブロック図である。この図６を参照して、第２実施形態による端末装置１０の構成について説明する。
【００６４】
図６に示すように、端末装置１０は、図１に示す構成に加えて、水準器６と、傾き検出部５７と、を備えている点が、図１に示す構成と相違する。なお、図６において図１の各部に対応する部分には同一の符号を付け、その説明を省略する。
【００６５】
水準器６は、端末装置１０の地面に対する角度や傾斜（水平、垂直、または９０度傾き等）を検知する。傾き検出部５７は、端末装置１０（自機器）が何れの方向を向いているかを検出する。例えば、傾き検出部５７は、水準器６の検知結果に基づいて、端末装置１０の傾き（例えば地面に対する傾き）を検出する。なお、水準器６は、加速度センサ、ジャイロセンサ、傾斜センサ、等を含む構成としてもよい。そして、傾き検出部５７は、加速度センサ、ジャイロセンサ、傾斜センサ、などの出力に応じて端末装置１０の傾き（例えば地面に対する傾き）を検出してもよい。なお、傾き検出部５７は、ユーザに対する端末装置１０（自機器）の傾きを検出してもよいし、単に時間の経過にともなう端末装置１０（自機器）の傾きの変化を検出してもよい。また、傾き検出部５７は、検出結果を設定部５２に供給する。
【００６６】
なお、傾き検出部５７は、検出結果を認証部５１に供給してもよい。例えば、認証部５１は、傾き検出部５７の検出結果に基づいて、撮像部２が撮像した画像の向き（傾き）を補正してから顔画像を検出してもよい。
【００６７】
設定部５２は、認証部５１の認証結果と傾き検出部５７の検出結果とに応じて、配置パターンを設定する。例えば、設定部５２は、認証部５１の認証結果により、ユーザ情報記憶部４１にユーザ情報として登録されているユーザが特定されたか否かに応じて、傾き検出部５７の検出結果に応じた配置パターンとするか否かを設定する。
一例としては、設定部５２は、認証部５１の認証結果により、ユーザ情報記憶部４１にユーザ情報として登録されているユーザ（すなわち、端末装置１０の所有者又は主使用者本人）であると特定された場合、傾き検出部５７の検出結果に応じた配置パターンとする。
【００６８】
図７から図９は、第２実施形態によるロック解除画面の例を示す図である。なお、図７から図９において、ＸＹＺ直交座標系が、互いに直交するＸ軸とＹ軸とが水平面に対して平行に定められ、Ｚ軸が水平面に対して直交する軸として定められている。
図７は図２に示すロック解除画面の配置パターンと同様であり、第２実施形態における基準（既定）の配置パターンを示している。また、図７は、端末装置１０の表示部３１（タッチパネル部３）の表示面がＸＺ平面と水平な関係であって、表示部３１の４辺のうち短い方の辺がＺ軸と水平、且つ長い方の辺がＸ軸と水平な関係であること示している。なお、図７に示す端末装置１０の傾きを０度（回転角度θ＝０度）として説明する。また、図８及び図９は、図７に示す端末装置１０を、Ｚ軸を中心に時計回りに９０度回転（回転角度θ＝＋９０度の回転）させた端末装置１０のロック解除画面を示している。
【００６９】
例えば、認証部５１が、撮像部２が撮像した画像から検出した顔画像のユーザ（端末装置１０を使用しようとしているユーザ）がユーザ情報として登録されているユーザ（すなわち、端末装置１０の所有者又は主使用者本人）であると特定したとする。この場合、設定部５２は、ロック状態を解除する操作パターンを検出する複数の検出領域を示す情報の配置パターンを、傾き検出部５７の検出結果に応じた配置パターンに設定する。具体的には、設定部５２は、図７に示す端末装置１０を、Ｚ軸を中心に時計回りに９０度回転（回転角度θ＝＋９０度の回転）させた場合には、端末装置１０の傾きに応じて、図７に示す配置パターンを、Ｚ軸を中心に反時計回りに９０度回転（回転角度θ＝−９０度の回転）させた図８に示す配置パターン（回転角度θ＝−９０度の配置パターン）になるように設定する。
【００７０】
一方、認証部５１が、撮像部２が撮像した画像から検出した顔画像のユーザ（端末装置１０を使用しようとしているユーザ）がユーザ情報として登録されているユーザであると特定できなかったとする。つまり、端末装置１０を使用しようとしているユーザは、端末装置１０の所有者又は主使用者本人とは異なる他者である（或いは、撮像部２が撮像した画像から顔画像が検出されなかった場合も含む）。この場合、設定部５２は、ロック状態を解除する操作パターンを検出する複数の検出領域を示す情報の配置パターンを、傾き検出部５７の検出結果に係わらず、基準（既定）の配置パターンに設定する。具体的には、設定部５２は、図７に示す端末装置１０を、Ｚ軸を中心に時計回りに９０度回転（回転角度θ＝＋９０度の回転）させた場合であっても、図７に示す配置パターンと同様の基準（既定）の配置パターン（回転角度θ＝０度の配置パターン）になるように設定する。すなわち、設定部５２は、図９に示す配置パターンになるように設定する。
【００７１】
このように、設定部５２は、認証部５１の認証結果と傾き検出部５７の検出結果とに応じて、配置パターンを設定する。例えば、設定部５２は、認証部５１の認証結果により、ユーザ情報記憶部４１にユーザ情報として登録されているユーザが特定されたか否かに応じて、傾き検出部５７の検出結果に応じた配置パターンとするか否かを互いに異ならせるように配置パターンを設定する。一例として、設定部５２は、端末装置１０を使用しようとしているユーザが、ユーザ情報として登録されているユーザ（すなわち、端末装置１０の所有者又は主使用者本人）であると判定した場合、傾き検出部５７の検出結果に応じた配置パターンになるように設定する。一方、設定部５２は、認証部５１の認証結果により、端末装置１０を使用しようとしているユーザが、ユーザ情報として登録されているユーザでないと判定した場合（すなわち、端末装置１０の所有者又は主使用者本人とは異なる他者である場合、または、撮像部２が撮像した画像から顔画像が検出されなかった場合）、傾き検出部５７の検出結果に応じて配置パターンを変更しないで、基準（既定）の配置パターンに設定する。
【００７２】
これにより、端末装置１０は、端末装置１０の所有者又は主使用者本人である場合には、傾き検出部５７の検出結果に応じた配置パターンになるように設定するため、ロック状態を解除する操作パターンによって、表示面に対する軌跡が常に同じ軌跡とはならないようにすることができる。よって、端末装置１０は、タッチ操作の軌跡が表示面上に残ることを抑制するため、ロック状態を解除する操作パターンを、他者に容易に解読されてしまうことを防止することができる。すなわち、端末装置１０は、ユーザがロック状態を解除するための所定の操作パターンを、他者に容易に解読されないようにすることができる。
【００７３】
続いて、図１０を参照して、第２実施形態による端末装置１０がロック状態を解除する処理の動作について説明する。図１０は、第２実施形態による端末装置１０がロック状態を解除する処理の一例を示すフローチャートであって、図７から図９を用いて説明した配置パターンのロック解除画面を表示する場合の処理の例を示している。また、図１０に示す処理は、図５に示すステップＳ１５、Ｓ１７の処理に代えて、ステップＳ２１、Ｓ２２、Ｓ２３の処理としたことが図５に示す処理と異なる。なお、図１０において図５の各処理に対応する部分には同一の符号を付け、その説明を省略する。
【００７４】
ステップＳ１４において、端末装置１０を使用しようとしているユーザが、端末装置１０の所有者又は主使用者本人であると判定された場合（ステップＳ１４：ＹＥＳ）、傾き検出部５７は、水準器６の検知結果に基づいて、端末装置１０の傾き（例えば地面に対する傾き）を検出する（ステップＳ２１）。
【００７５】
次に、設定部５２は、傾き検出部５７が検出した端末装置１０の傾きに応じてロック解除画面の配置パターンの表示を回転する回転角度θを算出し、算出した回転角度θに応じた配置パターンに設定する（ステップＳ２２）。例えば、設定部５２は、傾き検出部５７が検出した端末装置１０の傾きが０度（回転角度θ＝０度）の場合、基準（既定）の配置パターン（回転角度θ＝０度の配置パターン）になるように設定する（図７参照）。また、設定部５２は、傾き検出部５７が検出した端末装置１０の傾きがＺ軸を中心に時計回りに９０度回転（回転角度θ＝＋９０度の回転）した傾きの場合、Ｚ軸を中心に反時計回りに９０度回転（回転角度θ＝−９０度の回転）させた配置パターン（回転角度θ＝−９０度の配置パターン）になるように設定する（図８参照）。そして、設定部５２は、ステップＳ３１に処理を進める。
【００７６】
また、ステップＳ１６において、タイマーがタイムアップしたと判定された場合（ステップＳ１６：ＹＥＳ）、設定部５２は、ロック解除画面の配置パターンを、端末装置１０の傾きに係わらず基準（既定）の配置パターン（例えば、図７又は図９に示す回転角度θ＝０度の配置パターン）に設定する（ステップＳ２３）。
【００７７】
次に、状態制御部５６は、設定部５２が設定した端末装置１０の傾きに応じた配置パターン、および基準（既定）の配置パターンの何れかに従って、ロック状態を解除する操作パターンを検出する複数の検出領域を示す情報を、ロック解除画面として、表示制御部５３を介して表示部３１に表示させる（ステップＳ３１）。なお、以降の処理は、図５を用いて説明した処理と同様である。
【００７８】
これにより、端末装置１０は、端末装置１０の所有者又は主使用者本人からロック状態を解除する操作パターンのタッチ操作がされた場合にはロック状態を解除することができるとともに、端末装置１０の傾きに応じて、ロック状態を解除する操作パターンの軌跡が常に同じ軌跡とはならないようにすることができる。よって、端末装置１０は、表示面上に残るタッチ操作の軌跡によって他者に容易に解読されてしまうことを防止することができる。
【００７９】
以上第１実施形態と第２実施形態とを用いて説明したように、端末装置１０は、ユーザがロック状態を解除するための所定の操作パターンを容易に解読されないようにすることができる。
【００８０】
なお、上記実施形態では、ロック状態を解除する操作パターンが、なぞる操作の操作パターンである場合の例を示したが、これに限られるものではない。ロック状態を解除する操作パターンは、例えば、複数の検出領域を所定の順に、単にタッチする操作の操作パターンであってもよい。また、ロック状態を解除する操作パターンは、数字やアルファベットがそれぞれ割り当てられて並んで配置されている複数の検出領域から、所定のパスワードの順番に従って選択した検出領域をタッチする操作の操作パターンであってもよい。
【００８１】
また、上記実施形態では、認証部５１は、撮像部２が撮像した画像からユーザの顔画像を検出し、検出した顔画像に基づいてユーザを認証する例を説明したが、ユーザ認証の方法はこれに限られるものではない。例えば、認証部５１は、顔画像を用いてユーザ認証するのに代えて、音声、指紋、血管、等を検知するセンサを備えて、これら音声、指紋、血管、等の生態認証を用いてユーザを認証してもよい。
【００８２】
また、上記実施形態では、撮像部２が端末装置１０筐体のうちタッチパネル部３と同じ側の筐体に配置されている例を説明したが、これに限られるものではない。撮像部２は、ユーザを撮像することが可能な位置であれば、端末装置１０の何れの位置に配置されていてもよい。また、撮像部２は、端末装置１０に備えられていなくてもよく、ユーザを撮像することが可能な位置であれば、端末装置１０に撮像した画像を送信可能な端末装置１０以外の装置に備えられていてもよい。
【００８３】
また、認証部５１の処理は、端末装置１０の中において実行してもよいし、端末装置１０と通信を介して接続するサーバ装置において実行してもよい。すなわち、認証部５１は、端末装置１０の制御部５が備える構成に限られるものではなく、端末装置１０と通信を介して接続するサーバ装置が備える構成としてもよい。
また、操作パターン判定部５５は、操作制御部５４に含まれる構成としてもよいし、状態制御部５６に含まれる構成としてもよい。また、設定部５２は、状態制御部５６に含まれる構成としてもよい。
【００８４】
また、上記実施形態では、電子機器としてタブレット型の端末装置１０を例として説明したが、これらに限られるものではない。本発明の電子機器は、撮像装置、携帯電話、ナビゲーション端末装置、パーソナルコンピュータ、ＰＯＳ（Ｐｏｉｎｔ  Ｏｆ  Ｓａｌｅ）端末、ゲーム機、電子辞書、電子玩具等であってもよい。
【００８５】
なお、上述の制御部５が備える認証部５１、設定部５２、表示制御部５３、操作制御部５４、操作パターン判定部５５、状態制御部５６、または傾き検出部５７は専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【００８６】
また、上述の制御部５が備える認証部５１、設定部５２、表示制御部５３、操作制御部５４、操作パターン判定部５５、状態制御部５６、又は傾き検出部５７の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００８７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００８８】
以上、この発明の実施形態を図面を参照して詳述してきたが、具体的な構成はこの実施形態に限られるものではなく、この発明の要旨を逸脱しない範囲の設計等も含まれる。
【符号の説明】
【００８９】
２  撮像部、４  記憶部、５  制御部、１０  端末装置、３１  表示部、３２  操作検出部、５１  認証部、５２  設定部、５３  表示制御部、５５  操作パターン判定部、５６  状態制御部、５７  傾き検出部
【図１】
2014006706.tif 000003
【図２】
2014006706.tif 000004
【図３】
2014006706.tif 000005
【図４】
2014006706.tif 000006
【図５】
2014006706.tif 000007
【図６】
2014006706.tif 000008
【図７】
2014006706.tif 000009
【図８】
2014006706.tif 000010
【図９】
2014006706.tif 000011
【図１０】
2014006706.tif 000012